(57)【要約】【課題】  樹脂から成る光学素子を有し、かつ耐環境性に優れた光学系及びそれを備える光学機器を提供すること。【解決手段】  樹脂から成る光学素子ＯＥ１と、紫外線を反射する紫外線反射手段Ｃｕ１と、を有する光学系１００であって、紫外線反射手段Ｃｕ１は、光学素子ＯＥ１よりも物体側の光学面に設けられており、最も物体側の光学面における光軸からの最大高さをＨ０、最も物体側の光学面から紫外線反射手段Ｃｕ１及び光学素子ＯＥ１までの距離を各々Ｌｕ及びＬｒ、光学系１００の全長をＬ、紫外線反射手段Ｃｕ１が設けられた光学面の曲率半径をＲｕ、とするとき、０．１０≦Ｌｕ／Ｌ≦０．９０、｜ｔａｎ−１（Ｈ０／Ｌｒ）−ｔａｎ−１｛Ｈ０（Ｌｒ−Ｌｕ）／（Ｒｕ×Ｌｒ）｝｜≦２５°なる条件式を満足する。【選択図】  図１
2017026962.tif 000002
【特許請求の範囲】
【請求項１】
樹脂から成る光学素子と、紫外線を反射する紫外線反射手段と、を有する光学系であって、
前記紫外線反射手段は、前記光学素子よりも物体側の光学面に設けられており、
最も物体側の光学面における光軸からの最大高さをＨ０、前記最も物体側の光学面から前記紫外線反射手段及び前記光学素子までの距離を各々Ｌｕ及びＬｒ、前記光学系の全長をＬ、前記紫外線反射手段が設けられた光学面の曲率半径をＲｕ、とするとき、
０．１０≦Ｌｕ／Ｌ≦０．９０
｜ｔａｎ−１（Ｈ０／Ｌｒ）−ｔａｎ−１｛Ｈ０（Ｌｒ−Ｌｕ）／（Ｒｕ×Ｌｒ）｝｜≦２５°
なる条件式を満足することを特徴とする光学系。
【請求項２】
０．２０≦Ｌｒ／Ｌ≦０．９５
なる条件式を満足することを特徴とする請求項１に記載の光学系。
【請求項３】
０．０４≦Ｈ０２／（Ｌｒ×Ｌｕ）≦５
なる条件式を満足することを特徴とする請求項１又は２に記載の光学系。
【請求項４】
前記紫外線反射手段が設けられた光学面における光軸からの最大高さをＨｕとするとき、
Ｈｕ／Ｒｕ≦０．８０
なる条件式を満足することを特徴とする請求項１乃至３のいずれか１項に記載の光学系。
【請求項５】
波長３６０ｎｍの光に対する前記紫外線反射手段の透過率は、２０％以下であることを特徴とする請求項１乃至４のいずれか１項に記載の光学系。
【請求項６】
前記紫外線反射手段の透過率が５０％となるときの波長をλ５０とするとき、
３６５ｎｍ≦λ５０≦４３０ｎｍ
なる条件式を満足することを特徴とする請求項１乃至５のいずれか１項に記載の光学系。
【請求項７】
前記紫外線反射手段の透過率が１０％及び９０％となるときの波長を各々λ１０及びλ９０とするとき、
λ９０−λ１０≦３０ｎｍ
なる条件式を満足することを特徴とする請求項１乃至６のいずれか１項に記載の光学系。
【請求項８】
前記紫外線反射手段の透過率は、波長４８０ｎｍ〜６６０ｎｍの範囲において８０％以上であることを特徴とする請求項１乃至７のいずれか１項に記載の光学系。
【請求項９】
前記光学素子のｇ線及びＦ線に対する異常分散性をΔθｇＦとするとき、
０．０２７２＜｜ΔθｇＦ｜
なる条件式を満足することを特徴とする請求項１乃至８のいずれか１項に記載の光学系。
【請求項１０】
前記紫外線反射手段は、ＳｉＯ２及びＴｉＯ２を含む多層膜から成ることを特徴とする請求項１乃至９のいずれか１項に記載の光学系。
【請求項１１】
前記紫外線反射手段よりも像側に配置される開口絞りを有することを特徴とする請求項１乃至１０のいずれか１項に記載の光学系。
【請求項１２】
請求項１乃至１１のいずれか１項に記載の光学系と、該光学系からの光を受光する受光素子と、を備えることを特徴とする光学機器。
【発明の詳細な説明】
【技術分野】
【０００１】
本発明は、樹脂から成る光学素子を有する光学系に関し、銀塩フィルム用カメラ、デジタルスチルカメラ、ビデオカメラ、望遠鏡、双眼鏡、プロジェクター、デジタル複写機等の光学機器に好適なものである。
【背景技術】
【０００２】
近年、デジタルカメラやビデオカメラ等の光学機器に用いられる光学系（撮影光学系）として、小型軽量でかつ高い光学性能を有するものが求められている。特許文献１及び２には、それぞれ回折光学素子や異常分散特性を有する光学素子を用いることにより、小型化を実現しつつ色収差を良好に補正することができる光学系が記載されている。
【先行技術文献】
【特許文献】
【０００３】
【特許文献１】特開２００６−３１７６０５号公報
【特許文献２】特開２０１０−１１７４７２号公報
【発明の概要】
【発明が解決しようとする課題】
【０００４】
しかしながら、特許文献１及び２に記載の光学系においては、樹脂から成る光学素子を採用しているため、紫外線が入射した場合にその光学素子の光学特性や形状が変化し、良好な光学性能が得られなくなってしまう可能性がある。なお、特許文献１に記載の光学系においては、最も物体側のレンズに多層膜から成る紫外線カットコートが設けられているが、この構成では入射角が大きい紫外線に対する遮蔽効果が小さく、耐環境性が必ずしも十分ではなかった。
【０００５】
本発明は、樹脂から成る光学素子を有し、かつ耐環境性に優れた光学系及びそれを備える光学機器を提供することを目的とする。
【課題を解決するための手段】
【０００６】
上記目的を達成するための、本発明の一側面としての光学系は、樹脂から成る光学素子と、紫外線を反射する紫外線反射手段と、を有する光学系であって、前記紫外線反射手段は、前記光学素子よりも物体側の光学面に設けられており、最も物体側の光学面における光軸からの最大高さをＨ０、前記最も物体側の光学面から前記紫外線反射手段及び前記光学素子までの距離を各々Ｌｕ及びＬｒ、前記光学系の全長をＬ、前記紫外線反射手段が設けられた光学面の曲率半径をＲｕ、とするとき、０．１０≦Ｌｕ／Ｌ≦０．９０、｜ｔａｎ−１（Ｈ０／Ｌｒ）−ｔａｎ−１｛Ｈ０（Ｌｒ−Ｌｕ）／（Ｒｕ×Ｌｒ）｝｜≦２５°なる条件式を満足することを特徴とする。
【発明の効果】
【０００７】
本発明によれば、樹脂から成る光学素子を有し、かつ耐環境性に優れた光学系及びそれを備える光学機器を提供することができる。
【図面の簡単な説明】
【０００８】
【図１】本発明の実施例１に係る光学系の無限遠物体への合焦状態における断面図
【図２】本発明の実施例１に係る光学系の無限遠物体への合焦状態における収差図
【図３】本発明の実施例２に係る光学系の無限遠物体への合焦状態における断面図
【図４】本発明の実施例２に係る光学系の無限遠物体への合焦状態における収差図
【図５】本発明の実施例３に係る光学系の無限遠物体への合焦状態における断面図
【図６】本発明の実施例３に係る光学系の無限遠物体への合焦状態における収差図
【図７】本発明の実施例４に係る光学系の無限遠物体への合焦状態における断面図
【図８】本発明の実施例４に係る光学系の無限遠物体への合焦状態における収差図
【図９】本発明の実施例５に係る光学系の無限遠物体への合焦状態における断面図
【図１０】本発明の実施例５に係る光学系の無限遠物体への合焦状態における収差図
【図１１】本発明の実施例５に係る紫外線反射手段の透過率特性を示す図
【図１２】本発明の実施形態に係る光学機器の斜視図
【発明を実施するための形態】
【０００９】
以下、本発明の好ましい実施形態について図面を参照しながら説明する。なお、各図面は、便宜的に実際とは異なる縮尺で描かれている場合がある。また、各図面において、同一の部材については同一の参照番号を付し、重複する説明を省略する。
【００１０】
図１は、本実施形態に係る光学系１００の光軸を含む断面内における要部概略図（要部断面図）である。本実施形態に係る光学系１００は、樹脂から成る光学素子ＯＥ１と、紫外線を反射する紫外線反射手段Ｃｕ１と、を有している。紫外線反射手段Ｃｕ１は、光学素子ＯＥ１よりも物体側の光学面に設けられている。なお、図１において、ＯＡは光軸を示し、ＩＰは像面を示し、ＳＰは開口絞りを示している。
【００１１】
ここで、最も物体側の光学面における光軸からの最大高さをＨ０、最も物体側の光学面から紫外線反射手段及び樹脂から成る光学素子までの距離を各々Ｌｕ及びＬｒ、光学系の全長をＬ、紫外線反射手段が設けられた光学面の曲率半径をＲｕ、とする。このとき、本実施形態に係る光学系１００は、以下の条件式（１）及び（２）を満足している。
０．１０≦Ｌｕ／Ｌ≦０．９０      ・・・（１）
｜ｔａｎ−１（Ｈ０／Ｌｒ）−ｔａｎ−１｛Ｈ０（Ｌｒ−Ｌｕ）／（Ｒｕ×Ｌｒ）｝｜≦２５°      ・・・（２）
【００１２】
本実施形態に係る光学系１００は、上記の構成により優れた耐環境性を実現している。光学系１００について、以下に詳細に説明する。
【００１３】
本実施形態における光学素子とは、ガラス等の無機材料やプラスチック（樹脂）等の有機材料などから成り、屈折作用や回折作用を有する光学部材のことを示している。なお、複数の光学素子を接合するための接合部材（接着剤等）や、反射防止や接着性向上のための薄膜及び塗布材料など、実質的に屈折力を有さないものについては、本実施形態に係る光学素子には含まれない。
【００１４】
また、本実施形態における樹脂とは、樹脂材料を硬化させたものだけでなく、有機材料に無機微粒子を分散させて硬化させたもの（有機複合物）を含む。例えば、樹脂として、アクリル、ポリカーボネート、ポリビニルカルバゾールや、それらの混合物、あるいはそれらと他の有機物もしくは無機物を混合させたものなどを採用することができる。
【００１５】
なお、本実施形態における「光学面」とは、各光学素子において連続な曲面（曲率半径が一定の球面又は同一の定義式で定義される非球面）を有する部分のうち、結像に寄与する有効光線が通過する面（有効面）を示している。すなわち、各光学素子において、加工を容易にするため若しくはレンズ鏡筒により保持するために、有効面の外周部に設けられた余裕代は、鏡面であっても本実施形態における光学面には該当しない。よって、上記の条件式（２）における最大高さＨ０は、最も物体側の光学素子の有効光線が通過する面において、光軸から最も離れた位置までの距離（有効半径）を表している。
【００１６】
樹脂から成る光学素子ＯＥ１として、回折光学素子や、通常の硝子材料とは異なる光学特性（異常分散特性）を有する屈折光学素子を用いることにより、小型化を実現しつつ色収差を良好に補正することが可能になる。しかし、一般的に、樹脂が紫外線に曝された場合、樹脂が紫外線を吸収してポリマー鎖の切断などが生じ、樹脂の屈折率や透過率、吸収等の光学特性や形状が変化してしまう。そのため、樹脂から成る光学素子を有する光学系においては、その光学素子に紫外線が入射した場合に光学性能が変動してしまう可能性がある。
【００１７】
ここで、光学系において、樹脂から成る光学素子に紫外線が入射することを抑制するために、その光学素子よりも物体側に紫外線遮光手段を設ける方法が知られている。紫外線遮光手段としては、紫外線を吸収する特性を有する吸収タイプのもの（紫外線吸収手段）や、紫外線を反射する反射タイプのもの（紫外線反射手段）が用いられる。例えば、紫外線吸収手段は紫外線吸収材料により形成することができ、紫外線反射手段は複数の誘電体層を堆積させた多層膜により形成することができる。
【００１８】
紫外線吸収手段は、紫外線遮光効果の角度依存性が無いため、紫外線がどのような角度で入射してきたとしても、樹脂から成る光学素子に到達する紫外線を低減させることができる。例えば、紫外線吸収手段として、屈折作用を持たせたレンズ形状のもの、すなわち紫外線吸収材料から成るレンズを用いることができる。しかし、紫外線吸収手段の紫外線遮光効果はその厚さに依存するため、レンズ状の紫外線吸収手段を採用した場合は径方向において均一な紫外線遮光効果を得ることができない。
【００１９】
また、紫外線吸収材料の種類は限られているため、光学系の構成によっては、レンズ状の紫外線吸収材料を配置した場合に、良好な光学性能を得ることが困難になってしまう場合がある。なお、平板状の紫外線吸収手段を配置した場合は、レンズ状の紫外線吸収手段を配置した場合よりもレンズ枚数を増やす必要があるため、光学系の全長や重量が増大してしまう。
【００２０】
一方で、紫外線反射手段によれば、光学面に設ける反射防止コートとの兼用が可能であるため、平板フィルター等として光学系に別途配置したり、レンズ枚数を増やしたりする必要がなくなる。また、紫外線反射手段によれば、紫外線吸収手段と比較して透過率特性（波長に対する透過率の変化）を相対的に急峻にすることができるため、光学系全系のカラーバランスに与える影響を小さくしつつ、良好な紫外線遮光効果を得ることができる。
【００２１】
しかし、紫外線反射手段の透過率特性には、紫外線反射手段が設けられた光学面の面法線と入射光線との成す角度（入射角）が大きくなる程、短波長側にシフトしてしまうという角度依存性がある。そのため、紫外線反射手段に入射する紫外線の入射角が大きくなるに従い、紫外線遮光効果が小さくなってしまうことになる。
【００２２】
そこで、本実施形態に係る光学系１００は、上記の条件式（１）及び（２）を満たすように、紫外線反射手段Ｃｕ１が設けられた光学面の位置と曲率半径とを適切に設定することで、紫外線の入射角の増大を抑制し、良好な紫外線遮光効果を得ている。
【００２３】
条件式（１）は光学系１００における紫外線反射手段Ｃｕ１の配置を示している。紫外線反射手段Ｃｕ１を像側に近づけるに従い、入射角の大きい光線は、各光学素子を保持する鏡筒部材等によって遮蔽されるため、紫外線反射手段Ｃｕ１に到達し難くなる。よって、条件式（１）を満たすように、紫外線反射手段Ｃｕ１を最も物体側の面から離して配置することで、入射角の大きい光線を鏡筒部材等により十分に遮蔽することができ、紫外線遮光効果を十分に得ることができる。
【００２４】
条件式（１）の下限を下回ると、紫外線反射手段Ｃｕ１が物体側に近づき過ぎてしまい、入射角の大きい紫外線が紫外線反射手段Ｃｕ１を透過して光学素子ＯＥ１に到達してしまうため、紫外線遮光効果を十分に得ることができなくなる。また、条件式（１）の上限を上回ると、光学素子ＯＥ１よりも物体側に紫外線反射手段Ｃｕ１を配置することが困難になる。
【００２５】
条件式（２）は、光軸を含む断面内において、最も物体側の光学面の最大高さＨ０の位置と光学素子ＯＥ１の光軸上の点とを結ぶ直線と、紫外線反射手段Ｃｕ１が設けられた光学面をその直線が通過する位置における面法線と、の成す角度を示している。なお、紫外線反射手段Ｃｕ１が設けられた光学面が非球面である場合、最も物体側の光学面の最大高さＨ０の位置と光学素子ＯＥ１の光軸上の点とを結ぶ直線が、その非球面と交わる点における局所的な曲率半径をＲｕとする。
【００２６】
一般的に、条件式（１）を満たす領域においては、諸収差を低減するために極端に曲率が大きい光学面を配置することが無く、光線の屈折角が極端に大きくなることは無い。よって、条件式（１）を満たす領域では、最大高さＨ０の位置から入射し、各光学面にて屈折及び回折して光学素子ＯＥ１の光軸上の点に向かう光線（最軸外光線）を、最大高さＨ０の位置と光学素子ＯＥ１の光軸上の点とを結ぶ直線として近似することができる。すなわち、条件式（２）の左辺は、紫外線反射手段Ｃｕ１が設けられた光学面に対する最軸外光線の入射角に相当する。
【００２７】
条件式（２）を満たすことにより、紫外線反射手段Ｃｕ１が設けられた光学面に対する紫外線の入射角が小さくなるため、良好な紫外線遮光効果を得ることができる。条件式（２）の上限を上回ると、紫外線反射手段Ｃｕ１が設けられた光学面に対する紫外線の入射角が大きくなってしまい、紫外線遮光効果を十分に得ることができなくなる。
【００２８】
さらに、以下の条件式（１ａ）及び（２ａ）〜（１ｃ）及び（２ｃ）を順に満たしていくことがより好ましい。
０．１４≦Ｌｕ／Ｌ≦０．８５      ・・・（１ａ）
｜ｔａｎ−１（Ｈ０／Ｌｒ）−ｔａｎ−１｛Ｈ０（Ｌｒ−Ｌｕ）／（Ｒｕ×Ｌｒ）｝｜≦２３°      ・・・（２ａ）
０．１８≦Ｌｕ／Ｌ≦０．８０      ・・・（１ｂ）
｜ｔａｎ−１（Ｈ０／Ｌｒ）−ｔａｎ−１｛Ｈ０（Ｌｒ−Ｌｕ）／（Ｒｕ×Ｌｒ）｝｜≦２１°      ・・・（２ｂ）
０．２２≦Ｌｕ／Ｌ≦０．７５      ・・・（１ｃ）
｜ｔａｎ−１（Ｈ０／Ｌｒ）−ｔａｎ−１｛Ｈ０（Ｌｒ−Ｌｕ）／（Ｒｕ×Ｌｒ）｝｜≦１９°      ・・・（２ｃ）
【００２９】
また、本実施形態に係る光学系１００は、以下の条件式（３）を満足することが望ましい。
０．２０≦Ｌｒ／Ｌ≦０．９５      ・・・（３）
【００３０】
条件式（３）を満たすように、光学素子ＯＥ１を十分に像側に配置することにより、光学系１００を保持する鏡筒部材などによって入射角の大きい紫外線が遮蔽されるため、光学素子ＯＥ１に入射する紫外線を低減することができる。
【００３１】
さらに、以下の条件式（３ａ）〜（３ｃ）を順に満たしていくことがより好ましい。
０．３０≦Ｌｒ／Ｌ≦０．９５      ・・・（３ａ）
０．４０≦Ｌｒ／Ｌ≦０．９０      ・・・（３ｂ）
０．５０≦Ｌｒ／Ｌ≦０．９０      ・・・（３ｃ）
【００３２】
また、本実施形態に係る光学系１００は、以下の条件式（４）を満足することが望ましい。
０．０４≦Ｈ０２／（Ｌｒ×Ｌｕ）≦５      ・・・（４）
【００３３】
紫外線遮光効果を十分に得るためには、紫外線反射手段Ｃｕ１及び光学素子ＯＥ１を最も物体側の光学面より離して配置することにより、入射角の大きい光線を鏡筒部材などにより遮蔽することが好ましい。すなわち、最も物体側の光学面の最大高さＨ０の位置と紫外線反射手段Ｃｕ１及び光学素子ＯＥ１における光軸上の位置とを結ぶ直線が、光軸ＯＡとなす角度を小さくすることが好ましい。条件式（４）を満たすように、紫外線反射手段Ｃｕ１及び光学素子ＯＥ１を最も物体側の光学面より離して配置することで、紫外線が紫外線反射手段Ｃｕ１及び光学素子ＯＥ１に到達することを抑制することができる。
【００３４】
さらに、以下の条件式（４ａ）〜（４ｃ）を順に満たしていくことがより好ましい。
０．０８≦Ｈ０２／（Ｌｒ×Ｌｕ）≦３        ・・・（４ａ）
０．１２≦Ｈ０２／（Ｌｒ×Ｌｕ）≦２        ・・・（４ｂ）
０．１６≦Ｈ０２／（Ｌｒ×Ｌｕ）≦１．２    ・・・（４ｃ）
【００３５】
また、本実施形態に係る光学系１００は、紫外線反射手段Ｃｕ１が設けられた光学面における光軸からの最大高さをＨｕとするとき、以下の条件式（５）を満足することが望ましい。
Ｈｕ／Ｒｕ≦０．８０      ・・・（５）
【００３６】
条件式（５）の上限を上回ると、紫外線反射手段Ｃｕ１が設けられた光学面の光軸からの最大高さの位置における接線と光軸との成す角度（開角）が大きくなり過ぎてしまい、膜厚が均一になるように紫外線反射手段Ｃｕ１を成膜することが困難になる。紫外線反射手段Ｃｕ１の膜厚が不均一になると、その透過率特性（透過率の波長特性）も不均一になってしまい、光学面内で均一な紫外線遮光効果を得ることが困難になる。
【００３７】
さらに、以下の条件式（５ａ）〜（５ｄ）を順に満たしていくことがより好ましい。
Ｈｕ／Ｒｕ≦０．７５      ・・・（５ａ）
Ｈｕ／Ｒｕ≦０．７０      ・・・（５ｂ）
Ｈｕ／Ｒｕ≦０．６５      ・・・（５ｃ）
Ｈｕ／Ｒｕ≦０．６０      ・・・（５ｄ）
【００３８】
紫外線反射手段Ｃｕ１としては、良好な紫外線遮光効果を得るために、波長３６０ｎｍの光に対する透過率が２０％以下であるものを用いることが望ましい。より好ましくは、紫外線反射手段Ｃｕ１の波長３６０ｎｍの光に対する透過率を１５％以下、さらに好ましくは１０％以下、とすればよい。
【００３９】
また、紫外線反射手段Ｃｕ１の透過率が５０％となるときの波長をλ５０とするとき、光学系全系の可視光領域における透過率特性（カラーバランス）を損なわないようにするためには、以下の条件式（６）を満足することが望ましい。
３６５ｎｍ≦λ５０≦４３０ｎｍ      ・・・（６）
【００４０】
さらに、以下の条件式（６ａ）及び（６ｂ）を順に満たしていくことがより好ましい。
３７０ｎｍ≦λ５０≦４１５ｎｍ      ・・・（６ａ）
３７５ｎｍ≦λ５０≦４０５ｎｍ      ・・・（６ｂ）
【００４１】
さらに、光学系１００の全系でのカラーバランスを損なわないようにするためには、紫外線反射手段Ｃｕ１の紫外線反射効果の透過率特性を急峻にすることが望ましい。そこで、紫外線反射手段Ｃｕ１の透過率が１０％及び９０％となるときの波長を各々λ１０及びλ９０とするとき、以下の条件式（７）を満足することが望ましい。
λ９０−λ１０≦３０ｎｍ      ・・・（７）
【００４２】
さらに、以下の条件式（７ａ）及び（７ｂ）を順に満たしていくことがより好ましい。
λ９０−λ１０≦２６ｎｍ      ・・・（７ａ）
λ９０−λ１０≦２２ｎｍ      ・・・（７ｂ）
【００４３】
また、可視光領域の光に対して良好な透過率特性を得るために、紫外線反射手段Ｃｕ１の透過率は波長４８０ｎｍ〜６６０ｎｍの範囲において８０％以上であることが望ましい。より好ましくは、紫外線反射手段Ｃｕ１の波長４８０ｎｍ〜６６０ｎｍの範囲における透過率を８５％以上、さらに好ましくは９０％以上、とすればよい。
【００４４】
上述したように、本実施形態に係る光学素子ＯＥ１としては、異常分散性を有する樹脂から成る光学素子を用いてもよい。ここで、光学素子ＯＥ１のｇ線及びＦ線に対する異常分散性をΔθｇＦとするとき、光学系１００における色収差を良好に補正するためには、以下の条件式（８）を満足することが望ましい。
０．０２７２＜｜ΔθｇＦ｜      ・・・（８）
【００４５】
さらに、以下の条件式（８ａ）及び（８ｂ）を順に満たしていくことがより好ましい。
０．０５＜｜ΔθｇＦ｜      ・・・（８ａ）
０．１＜｜ΔθｇＦ｜        ・・・（８ｂ）
【００４６】
なお、ここでは、フラウンホーファー線であるｇ線（４３５．８ｎｍ）、Ｆ線（４８６．１ｎｍ）、ｄ線（５８７．６ｎｍ）、及びＣ線（６５６．３ｎｍ）に対する屈折率を各々ｎｇ、ｎＦ、ｎｄ、ｎＣとしている。このとき、ｄ線に対するアッベ数νｄ、ｇ線及びＦ線に対する部分分散比θｇＦ、ｇ線及びＦ線に対する異常分散性ΔθｇＦ、の夫々は、以下の式（９）〜（１１）のように定義される。
νｄ＝（ｎｄ−１）／（ｎＦ−ｎＣ）          ・・・（９）
θｇＦ＝（ｎｇ−ｎＦ）／（ｎＦ−ｎＣ）      ・・・（１０）
ΔθｇＦ＝θｇＦ−（−１．６６５×１０−７νｄ３＋５．２１３×１０−５νｄ２−５．６５６×１０−３νｄ＋０．７２７８）     ・・・（１１）
【００４７】
なお、光学素子ＯＥ１の材料として、固体材料に無機酸化物（例えばＴｉＯ２やＩＴＯ：Ｉｎｄｉｕｍ−Ｔｉｎ−Ｏｘｉｄｅなど）の微粒子を混合した材料を用いる場合は、無機酸化物の微粒子によって光が散乱してしまうことを抑制する必要がある。そのためには、微粒子の粒径を２ｎｍから５０ｎｍの範囲内に設定することが好ましい。また、固体材料に無機酸化物の微粒子を混合する際の凝集を抑制するために、分散剤等を添加してもよい。
【００４８】
ここで、固体材料（母材）に微粒子を分散させた混合体において、波長λに対する屈折率ｎ（λ）は、Ｍａｘｗｅｌｌ−Ｇａｒｎｅｔ理論に基づく関係式から導き出すことができる。具体的に、屈折率ｎ（λ）は、固体材料の比誘電率をεｍ、微粒子の比誘電率をεｐ、固体材料の体積に対する微粒子の総体積の分率をη、とするとき、以下の式（１２）で定義される混合体の比誘電率εａｖに基づいて、以下の式（１３）のように表される。
【００４９】
【数１】
2017026962.tif 000003
【００５０】
【数２】
2017026962.tif 000004
【００５１】
以上、本実施形態に係る光学系１００によれば、樹脂から成る光学素子を用いた場合にも、優れた耐環境性を確保することができる。なお、本実施形態に係る光学系１００が、紫外線反射手段や樹脂から成る光学素子を複数有していてもよく、その場合、複数の紫外線反射手段及び複数の光学素子の夫々が、上述した各条件式を満足することが望ましい。
【００５２】
次に、本実施形態に係る光学系の実施例について詳細に説明する。
【００５３】
［実施例１］
以下、本発明の実施例１に係る光学系１００について詳細に説明する。本実施例に係る光学系１００は、上述の実施形態に係る光学系１００（図１）と同様である。
【００５４】
図１に示すように、本実施例に係る光学系１００は、物体側から像側へ順に、負の屈折力の第１レンズユニット（レンズ群）Ｌ１、正の屈折力の第２レンズユニットＬ２、正の屈折力の第３レンズユニットＬ３、から構成される。光学系１００において、各レンズユニットの間隔は、フォーカシングに際して変化する。なお、図１では、光学系１００が無限遠物体に合焦したときの断面を示しており、図中の矢印は、無限遠から近距離へのフォーカシングに際する、各レンズユニットの光軸方向における移動軌跡を示している。また、図２は、光学系１００が無限遠物体に合焦したときの収差図である。
【００５５】
本実施例に係る紫外線反射手段Ｃｕ１は、多層膜で構成されており、光学系１００における物体側から６番目の光学素子（第６レンズ）の物体側の光学面に設けられている。紫外線反射手段Ｃｕ１が設けられた光学面は、物体側に向かって凸形状の曲面（凸面）である。なお、光学系１００においては、紫外線反射手段Ｃｕ１を第４レンズの物体側の光学面に設けてもよく、その場合にも上述した各条件式を満足する。
【００５６】
また、本実施例に係る光学素子ＯＥ１は、（メタ）アクリルモノマーにＴｉＯ２微粒子を体積比で２５％分散させた混合体から成る、正の屈折力の屈折レンズである。光学素子ＯＥ１は、開口絞りＳＰよりも像側の第３レンズユニットＬ３中に配置されている。本実施例では、紫外線反射手段Ｃｕ１を光学素子ＯＥ１よりも物体側に配置し、夫々の間に開口絞りＳＰを配置することで、紫外線遮光効果を得ている。
【００５７】
光軸ＯＡを含む断面において、最も物体側の光学面の最大高さＨ０の位置から、光学素子ＯＥ１の物体側の光学面と光軸との交点に向かう光線が、紫外線反射手段Ｃｕ１が設けられた光学面に入射するときの光軸からの高さ（光線高さ）は１７．４３ｍｍである。また、この光線が入射する位置での、紫外線反射手段Ｃｕ１が設けられた光学面の面法線の光軸に対する角度（面法線角度）は２７．７度であるため、この光線と面法線との成す角度は９．１度となる。これより、紫外線反射手段Ｃｕ１に入射する光線の入射角が十分に小さくなっていることがわかる。
【００５８】
なお、この角度の値は、各光学面における光線の屈折等を考慮して算出したものであるため、条件式（２）により算出される角度の値とは若干の乖離があるものの、少なくとも条件式（２）を満足していれば本発明の効果を得ることができる。
【００５９】
［実施例２］
図３は、本発明の実施例２に係る光学系２００の要部断面図であり、図４は、光学系２００が無限遠物体に合焦したときの収差図である。本実施例に係る光学系２００において、実施例１に係る光学系１００と同等の構成については、説明を省略する。
【００６０】
本実施例に係る光学系２００は、物体側から像側へ順に、正の屈折力の第１レンズユニットＬ１、正の屈折力の第２レンズユニットＬ２、から構成される。光学系２００においては、図中の矢印で示すように、無限遠から近距離へのフォーカシングに際して、第２レンズユニットＬ２が光軸方向へ移動する。
【００６１】
本実施例に係る紫外線反射手段Ｃｕ２は、多層膜で構成されており、光学系２００における第３レンズの物体側の光学面に設けられている。紫外線反射手段Ｃｕ２が設けられた光学面は、物体側に向かって凸形状の曲面である。また、本実施例に係る光学素子ＯＥ２は、（メタ）アクリルモノマーから成る、正の屈折力の屈折レンズであり、第１レンズユニットＬ１中の開口絞りＳＰよりも像側に配置されている。なお、光学系２００においては、紫外線反射手段Ｃｕ２を第２レンズの物体側の光学面に設けてもよく、その場合にも上述した各条件式を満足する。
【００６２】
光軸ＯＡを含む断面において、最も物体側の光学面の最大高さＨ０の位置から、光学素子ＯＥ２の物体側の光学面と光軸との交点に向かう光線が、紫外線反射手段Ｃｕ２が設けられた光学面に入射するときの光線高さは４．１８ｍｍである。また、この光線が入射する位置での、紫外線反射手段Ｃｕ２が設けられた光学面の面法線角度は６．１度であるため、この光線と面法線との成す角度は７．７度となる。これより、紫外線反射手段Ｃｕ２に入射する光線の入射角が十分に小さくなっていることがわかる。
【００６３】
［実施例３］
図５は、本発明の実施例３に係る光学系３００の要部断面図であり、図６は、光学系３００が無限遠物体に合焦したときの収差図である。本実施例に係る光学系３００において、実施例１に係る光学系１００と同等の構成については、説明を省略する。
【００６４】
本実施例に係る光学系３００は、物体側から像側へ順に、正の屈折力の第１レンズユニットＬ１、正の屈折力の第２レンズユニットＬ２、負の屈折力の第３レンズユニットＬ３、から構成される。光学系３００においては、無限遠から近距離へのフォーカシングに際して、図中の矢印で示すように第１レンズユニットＬ１及び第２レンズユニットＬ２が光軸方向へ移動することにより、各レンズユニットの間隔が変化する。
【００６５】
本実施例に係る紫外線反射手段Ｃｕ３は、多層膜で構成されており、光学系３００における第３レンズの像側の光学面に設けられている。紫外線反射手段Ｃｕ３が設けられた光学面は、物体側に向かって凸形状の曲面である。また、本実施例に係る光学素子ＯＥ３は、（メタ）アクリルモノマーから成る、正の屈折力の屈折レンズであり、開口絞りＳＰよりも像側の第２レンズユニットＬ２中に配置されている。なお、光学系３００においては、紫外線反射手段Ｃｕ３を第４レンズと第５レンズとの接合面に設けてもよく、その場合にも上述した各条件式を満足する。
【００６６】
光軸ＯＡを含む断面において、最も物体側の光学面の最大高さＨ０の位置から、光学素子ＯＥ３の物体側の光学面と光軸との交点に向かう光線が、紫外線反射手段Ｃｕ３が設けられた光学面に入射するときの光線高さは７．５４ｍｍである。また、この光線が入射する位置での、紫外線反射手段Ｃｕ３が設けられた光学面の面法線角度は３２度であるため、この光線と面法線との成す角度は１．１度となる。これより、紫外線反射手段Ｃｕ３に入射する光線の入射角が十分に小さくなっていることがわかる。
【００６７】
［実施例４］
図７は、本発明の実施例４に係る光学系４００の要部断面図であり、図８は、光学系４００が無限遠物体に合焦したときの収差図である。本実施例に係る光学系４００において、実施例１に係る光学系１００と同等の構成については、説明を省略する。
【００６８】
本実施例に係る光学系４００は、物体側から像側へ順に、正の屈折力の第１レンズユニットＬ１、正の屈折力の第２レンズユニットＬ２、正の屈折力の第３レンズユニットＬ３、から構成される。光学系４００においては、無限遠から近距離へのフォーカシングに際して、図中の矢印で示すように第２レンズユニットＬ２及び第３レンズユニットＬ３が光軸方向へ移動することにより、各レンズユニットの間隔が変化する。
【００６９】
本実施例に係る紫外線反射手段Ｃｕ４は、多層膜で構成されており、光学系４００における第５レンズの物体側の光学面に設けられている。紫外線反射手段Ｃｕ４が設けられた光学面は、物体側に向かって凸形状の曲面である。また、本実施例に係る光学素子ＯＥ４は、（メタ）アクリルモノマーから成る、正の屈折力の屈折レンズであり、開口絞りＳＰよりも物体側の第２レンズユニットＬ２中に配置されている。
【００７０】
光軸ＯＡを含む断面において、最も物体側の光学面の最大高さＨ０の位置から、光学素子ＯＥ４の物体側の光学面と光軸との交点に向かう光線が、紫外線反射手段Ｃｕ４が設けられた光学面に入射するときの光線高さは１２．５４ｍｍである。また、この光線が入射する位置での、紫外線反射手段Ｃｕ４が設けられた光学面の面法線角度は１１．６度であるため、この光線と面法線との成す角度は７．０度となる。これより、紫外線反射手段Ｃｕ４に入射する光線の入射角が十分に小さくなっていることがわかる。
【００７１】
［実施例５］
図９は、本発明の実施例５に係る光学系５００の要部断面図であり、図１０は、光学系５００が無限遠物体に合焦したときの収差図である。本実施例に係る光学系５００において、実施例１に係る光学系１００と同等の構成については、説明を省略する。
【００７２】
本実施例に係る光学系５００は、物体側から像側へ順に、正の屈折力の第１レンズユニットＬ１、正の屈折力の第２レンズユニットＬ２、正の屈折力の第３レンズユニットＬ３、から構成される。光学系５００においては、無限遠から近距離へのフォーカシングに際して、図中の矢印で示すように第２レンズユニットＬ２及び第３レンズユニットＬ３が光軸方向へ移動することにより、各レンズユニットの間隔が変化する。
【００７３】
本実施例に係る紫外線反射手段Ｃｕ５は、多層膜で構成されており、光学系５００における第８レンズの像側の光学面に設けられている。紫外線反射手段Ｃｕ５が設けられた光学面は、物体側に向かって凸形状の曲面である。また、本実施例に係る光学素子ＯＥ５は、（メタ）アクリルモノマーにＩＴＯ微粒子を体積比１５％で分散させた混合体から成る、負の屈折力の屈折レンズであり、開口絞りＳＰよりも像側の第３レンズユニットＬ３中に配置されている。
【００７４】
光軸ＯＡを含む断面において、最も物体側の光学面の最大高さＨ０の位置から、光学素子ＯＥ５の物体側の光学面と光軸との交点に向かう光線が、紫外線反射手段Ｃｕ５が設けられた光学面に入射するときの光線高さは７．５３ｍｍである。また、この光線が入射する位置での、紫外線反射手段Ｃｕ５が設けられた光学面の面法線角度は１５．３度であるため、この光線と面法線との成す角度は８．１度となる。これより、紫外線反射手段Ｃｕ５に入射する光線の入射角が十分に小さくなっていることがわかる。
【００７５】
本実施例では、紫外線反射手段Ｃｕ５を、ＳｉＯ２（ｎｄ＝１．４６）及びＴｉＯ２（ｎｄ＝２．３２）を含む多層膜によって構成し、その各界面を利用して紫外領域の光の通過を抑制している。表１に、本実施例に係る紫外線反射手段Ｃｕ５の構成を示す。なお、表１において、ｎｄはｄ線（５８７．６ｎｍ）に対する屈折率を示している。また、本実施例において、基板の材料としては株式会社オハラのＳ−ＬＡＨ５５を用いている。
【００７６】
【表１】
2017026962.tif 000005
【００７７】
また、図１１に、本実施例に係る紫外線反射手段Ｃｕ５の透過率特性を示す。図１１より、紫外線反射手段Ｃｕ５の透過率特性が紫外領域近傍（４００ｎｍ近傍）で急峻になっており、良好な紫外線遮光効果が得られていることがわかる。具体的に、紫外線反射手段Ｃｕ５の透過率が１０％、５０％、９０％となるのは、各々波長３７６ｎｍ、３９０ｎｍ、４００ｎｍの光に対してであり、λ９０−λ１０は２４ｎｍとなる。また、紫外線反射手段Ｃｕ５の波長３６０ｎｍの光に対する透過率は３％以下であり、波長４８０ｎｍ〜６６０ｎｍの範囲における光の透過率は９５％以上である。
【００７８】
次に、上述した実施例１乃至５の夫々に対応する数値実施例１乃至５について、具体的な数値データを示す。ただし、各数値実施例において、面番号は光入射側から数えた面の番号（ｍ）を示し、ｒは第ｍ番目の光学面（第ｍ面）の曲率半径を示し、ｄは第ｍ面と第（ｍ＋１）面との間の軸上間隔（光軸上の距離）、を示す。また、ｎｄ及びνｄの夫々は第ｍ番目の光学部材のｄ線に対する屈折率及びアッベ数を示す。
【００７９】
なお、各数値実施例において、非球面形状の光学面については、面番号の後に＊（アスタリスク）の符号を付加している。また、各非球面係数における「ｅ±ＸＸ」は「×１０±ＸＸ」を意味している。光学面の非球面形状は、光軸方向における面頂点からの変位量をＸ、光軸方向に垂直な方向における光軸からの高さをｈ、近軸曲率半径をｒ、円錐定数をｋ、非球面係数をＢ、Ｃ、Ｄ、Ｅ…、とするとき、以下の式（１４）により表される。
【００８０】
【数３】
2017026962.tif 000006
【００８１】
（数値実施例１）
面番号       r        d      nd         vd       有効径
1        480.322    2.82   1.67270    32.1       55.79
2         36.983    6.74                         47.80
3        119.552    2.46   1.51742    52.4       47.72
4         42.361    5.06                         45.90
5         90.295    4.27   1.90366    31.3       46.24
6     -18601.026    0.15                         46.10
7         93.603    3.43   1.58313    59.4       45.43
8*        39.044    4.01                         43.41
9         62.996    5.50   1.91082    35.3       43.38
10       -756.556  (可変)                         42.91
11         37.467    5.79   1.83481    42.7       34.86
12        779.999    3.27                         34.14
13         72.301    2.99   1.59522    67.7       30.47
14      -1236.876    1.50   1.72825    28.5       29.64
15         28.912  (可変)                         26.78
16(絞り)    ∞       7.36                         25.30
17        -18.879    1.64   1.84666    23.8       24.50
18        197.444    1.21   1.69934    26.4       28.47
19       -209.968    3.90   1.91082    35.3       28.61
20        -42.029    0.27                         29.63
21         92.376    7.48   1.59522    67.7       31.68
22        -33.657    0.15                         32.00
23*      -106.635    3.88   1.85400    40.4       33.05
24        -41.586   39.05                         34.12
像面        ∞
非球面データ
第8面
Ｋ= 0.00000e+000  Ｂ=-3.29635e-006  Ｃ=-1.06088e-009  Ｄ=-8.09890e-012
Ｅ= 1.33588e-014  Ｆ=-9.49240e-018
第23面
Ｋ= 0.00000e+000  Ｂ=-6.98994e-006  Ｃ=-7.36799e-010  Ｄ=-7.33127e-012
Ｅ= 6.43354e-015
各種データ
焦点距離      34.30
Fナンバー      1.45
画角          32.24
像高          21.64
レンズ全長   127.48
BF            39.05
物体距離      無限遠  1750   1000   500   300
d10            5.93   5.48   5.09   3.97  1.70
d15            8.60   8.30   8.07   7.45  6.48
入射瞳位置    34.66
射出瞳位置   -43.12
前側主点位置  54.64
後側主点位置   4.75
レンズユニットデータ
群  始面    焦点距離  レンズ構成長  前側主点位置  後側主点位置
1    1    -396.15        34.44       -96.68       -163.46
2   11     116.60        13.56       -20.89        -25.39
3   16      42.30        25.90        23.59         10.19
単レンズデータ
レンズ  始面  焦点距離
1       1    -59.72
2       3   -128.19
3       5     99.45
4       7   -117.60
5       9     64.05
6      11     46.98
7      13    114.86
8      14    -38.77
9      17    -20.28
10      18    145.68
11      19     57.06
12      21     42.38
13      23     77.69
【００８２】
（数値実施例２）
面番号       r        d      nd         vd       有効径
1         49.172    1.80   1.72916    54.7       29.18
2          7.731    8.54                         15.12
3         11.844    1.83   1.74320    49.3       11.33
4          8.327    2.25                          9.43
5         39.257    2.03   1.84666    23.8        8.62
6        -45.502    1.21                          7.78
7        -13.730    3.85   1.72916    54.7        7.07
8        -10.941    0.69                          8.22
9(絞り)    ∞       2.62                          8.21
10         21.663    2.39   1.49700    81.5        8.18
11        -13.589    0.52                          7.99
12        -15.907    0.64   1.72825    28.5        8.27
13          9.609    0.57   1.63556    22.7        9.69
14         13.950    3.25   1.65160    58.5        9.79
15        -27.106  （可変）                       11.02
16*       -52.965    2.04   1.58313    59.4       15.91
17        -19.867  （可変）                       16.68
像面        ∞
非球面データ
第16面
Ｋ= 0.00000e+000  Ｂ=-6.57616e-005  Ｃ= 2.99433e-007  Ｄ=-4.07412e-009
Ｅ= 2.53079e-011  Ｆ=-2.25245e-014
各種データ
焦点距離       9.60
Fナンバー      2.80
画角          181.7
像高          13.66
レンズ全長    55.13
BF            （可変）
物体距離      無限遠    480     90
d15            5.89    5.44    1.79
d17（ＢＦ）   15.00   15.46   19.11
入射瞳位置     8.62
射出瞳位置   -22.89
前側主点位置  15.79
後側主点位置   5.40
レンズユニットデータ
群  始面    焦点距離  レンズ構成長  前側主点位置  後側主点位置
1    1      13.10        32.19        16.93         14.25
2   16      53.31         2.04         2.02          0.76
単レンズデータ
レンズ  始面  焦点距離
1       1    -12.82
2       3    -48.47
3       5     25.17
4       7     46.68
5      10     17.19
6      12     -8.14
7      13     46.21
8      14     14.59
9      16     53.31
【００８３】
（数値実施例３）
面番号       ｒ       ｄ      ｎｄ     νｄ       有効径
1         39.433    2.83   1.72916    54.7        24.91
2        281.196    0.15                          24.61
3         18.518    4.27   1.49700    81.5        22.99
4         42.242    0.17                          21.69
5         42.828    1.18   1.51742    52.4        21.57
6         14.224    5.52                          18.97
7(絞り)    ∞     (可変)                          18.37
8        -18.831    1.08   1.72047    34.7        17.61
9         21.511    6.53   1.80400    46.6        19.07
10        -23.161    2.06                          19.50
11        -17.544    1.28   1.69895    30.1        18.92
12         46.103    1.27   1.63429    23.3        20.48
13      -3465.813    3.56   1.83481    42.7        20.51
14        -26.089    0.15                          22.92
15*       131.720    2.63   1.80400    46.6        22.51
16        -55.435  (可変)                          22.83
17         35.765    4.64   1.58313    59.4        23.85
18        -56.187    2.11                          23.71
19        -42.552    1.15   1.56732    42.8        22.93
20         34.975   17.38                          22.64
像面        ∞
非球面データ
第15面
Ｋ= 0.00000e+000  Ｂ=-3.48818e-006  Ｃ= 4.64092e-008  Ｄ=-5.55436e-010
Ｅ= 3.41931e-012  Ｆ=-8.48042e-015
各種データ
焦点距離      36.00
Fナンバー      1.45
半画角（度）  20.78
像高          13.66
レンズ全長    63.38
BF            17.38
無限遠    x0.25    x0.5
d 7            4.60     7.33     5.90
d16            0.80    11.86    23.62
入射瞳位置    15.94
射出瞳位置   -35.04
前側主点位置  27.22
後側主点位置 -18.62
レンズユニットデータ
群  始面    焦点距離
1    1      78.74         8.60       -11.84        -15.01
2    8      38.87        18.56        16.88         10.44
3   17   -6597.19         7.90       851.23        748.86
単レンズデータ
レンズ  始面  焦点距離
1       1     62.59
2       3     62.60
3       5    -41.75
4       8    -13.78
5       9     14.84
6      11    -18.03
7      12     71.74
8      13     31.47
9      15     48.83
10      17     38.19
11      19    -33.66
【００８４】
（数値実施例４）
面番号       r        d      nd         vd       有効径
1         72.080    2.65   1.58313    59.4       50.00
2*        25.512   13.45                         41.33
3        -96.609    2.50   1.48749    70.2       40.75
4         66.944    3.13                         39.59
5        175.419    5.63   1.91082    35.3       39.68
6        -77.862    3.86                         39.54
7        -44.606    2.30   1.69895    30.1       38.10
8       -178.782    0.15                         38.34
9         62.257    8.11   1.59522    67.7       38.01
10        -59.637  (可変)                         37.40
11         48.797    4.61   2.00100    29.1       35.03
12       9939.838    1.32                         34.39
13        333.607    4.76   1.60311    60.6       32.67
14        -61.478    1.00   1.63556    22.4       31.18
15        -45.844    1.59   1.72825    28.5       30.99
16         32.360  (可変)                         27.20
17(絞り)    ∞       7.17                         26.60
18        -21.286    1.40   1.69895    30.1       25.93
19        177.619    4.21   1.59522    67.7       28.93
20        -52.749    0.15                         29.70
21         97.355    7.19   1.59522    67.7       31.37
22        -35.549    0.15                         32.12
23*      -158.409    4.26   1.85400    40.4       33.44
24        -43.693  (可変)                         34.50
像面        ∞
非球面データ
第2面
K=0.00000e+000 B=-1.26283e-006 C=-4.27073e-009 D= 5.04254e-012 E=-1.12945e-014
第23面
K=0.00000e+000 B=-6.35905e-006 C=-4.47403e-010 D=-4.21764e-012 E=2.36025e-015
各種データ
焦点距離      34.30
Fナンバー      1.45
画角          32.24
像高          21.64
レンズ全長   131.15
BF            39.00
物体距離      無限遠  1750   300
d10            7.06   6.32   0.80
d18            5.50   5.50   5.50
d26           39.00  39.74  45.26
入射瞳位置    35.71
射出瞳位置   -37.10
前側主点位置  54.55
後側主点位置   4.70
レンズユニットデータ
群  始面    焦点距離  レンズ構成長  前側主点位置  後側主点位置
1    1     170.03        41.79        78.71         82.50
2   11     783.13        13.28      -152.17       -134.21
3   17      44.42        24.52        22.40          8.09
単レンズデータ
レンズ  始面  焦点距離
1       1    -69.17
2       3    -80.71
3       5     59.84
4       7    -85.64
5       9     52.48
6      11     48.98
7      13     86.47
8      14    276.77
9      15    -25.83
10      18    -27.12
11      19     68.80
12      21     44.65
13      23     69.46
【００８５】
（数値実施例５）
面番号       r        d      nd         vd       有効径
1         55.052    1.39   1.58313    59.4       50.00
2*        25.148   13.72                         42.43
3       -106.406    2.03   1.51633    64.1       42.14
4         50.816    3.68                         40.61
5        113.354    6.23   1.91082    35.3       40.83
6        -89.012    7.06                         40.66
7        -44.957    2.03   1.69895    30.1       37.20
8       -336.413    0.17                         37.42
9         69.607    8.37   1.59522    67.7       37.46
10        -50.652  (可変)                         37.88
11         43.189    5.19   2.00100    29.1       35.48
12       1039.705    0.14                         34.68
13         78.829    5.45   1.59522    67.7       32.76
14        -62.807    1.54   1.85026    32.3       31.30
15         28.545  (可変)                         27.08
16(絞り)    ∞       7.24                         26.48
17        -20.859    1.40   1.71736    29.5       25.82
18       -526.799    0.05   1.54402    19.6       28.63
19        150.060    5.37   1.69680    55.5       29.15
20        -49.018    0.15                         30.23
21        122.455    6.57   1.65160    58.5       31.49
22        -37.407    0.19                         32.50
23*       -82.464    3.70   1.85400    40.4       33.20
24        -40.578  (可変)                         34.31
像面        ∞
非球面データ
第2面
K=0.00000e+000 B=-1.17609e-006 C=-3.67097e-009 D=4.77220e-012 E=-1.15057e-014
第24面
K=0.00000e+000 B=-6.57816e-006 C=-1.77654e-010 D=-5.21093e-012 E=4.55629e-015
各種データ
焦点距離      34.30
Fナンバー      1.45
画角          32.24
像高          21.64
レンズ全長   133.69
BF            39.00
物体距離      無限遠  1750   300
d10            7.10   6.36   0.80
d15            5.92   5.92   5.92
d24           39.00  39.74  45.30
入射瞳位置    36.86
射出瞳位置   -36.49
前側主点位置  55.58
後側主点位置   4.70
レンズユニットデータ
群  始面    焦点距離  レンズ構成長  前側主点位置  後側主点位置
1    1     185.01        44.67        86.61         92.68
2   11     594.71        12.33      -126.75       -110.20
3   16      44.66        24.67        22.33          8.15
単レンズデータ
レンズ  始面  焦点距離
1       1    -80.78
2       3    -66.32
3       5     55.56
4       7    -74.46
5       9     50.57
6      11     44.90
7      13     59.58
8      14    -22.90
9      17    -30.31
10      18   -214.68
11      19     53.62
12      21     44.70
13      23     89.89
【００８６】
表２に、各数値実施例に係る光学系についての、条件式（１）乃至（５）における代数部分の数値を示し、表３に、各数値実施例に係る樹脂から成る光学素子の光学特性を示す。また、表４に、実施例３に係る樹脂から成る光学素子を構成する混合体のベース材料及び混合微粒子の光学特性を示す。
【００８７】
【表２】
2017026962.tif 000007
【００８８】
【表３】
2017026962.tif 000008
【００８９】
【表４】
2017026962.tif 000009
【００９０】
［光学機器］
図１２は、本発明の実施形態に係る光学機器としての撮像装置（デジタルスチルカメラ）の要部概略図である。本実施形態に係る撮像装置は、カメラ本体１０と、上述した各実施例のいずれかに係る光学系（撮影光学系）１１と、撮影光学系１１からの光を受光し、撮影光学系１１によって形成される被写体像を光電変換する受光素子（撮像素子）１２と、を備える。
【００９１】
本実施形態に係る撮像装置によれば、上述した各実施例のいずれかに係る光学系を採用することにより、高い光学性能を得ることができ、高画質な画像を取得することが可能になる。なお、受光素子１２としては、ＣＣＤセンサやＣＭＯＳセンサ等の固体撮像素子（電子撮像素子）を用いることができる。このとき、受光素子１２により取得された画像の歪曲収差や色収差等の諸収差を電気的に補正することにより、出力画像を高画質化することが可能になる。
【００９２】
なお、上述した各実施例に係る光学系は、図１２に示したデジタルスチルカメラに限らず、銀塩フィルム用カメラやビデオカメラ、望遠鏡、双眼鏡、プロジェクター、デジタル複写機等の種々の光学機器に適用することができる。例えば、本発明をプロジェクターに適用する場合には、上述した実施形態における「物体側」を「光源側」と置き換えればよい。
【００９３】
以上、本発明の好ましい実施形態及び実施例について説明したが、本発明はこれらの実施形態及び実施例に限定されず、その要旨の範囲内で種々の組合せ、変形及び変更が可能である。
【符号の説明】
【００９４】
ＯＥ１  樹脂から成る光学素子
Ｃｕ１  紫外線反射手段
１００  光学系
ＯＡ  光軸
【図１】
2017026962.tif 000010
【図２】
2017026962.tif 000011
【図３】
2017026962.tif 000012
【図４】
2017026962.tif 000013
【図５】
2017026962.tif 000014
【図６】
2017026962.tif 000015
【図７】
2017026962.tif 000016
【図８】
2017026962.tif 000017
【図９】
2017026962.tif 000018
【図１０】
2017026962.tif 000019
【図１１】
2017026962.tif 000020
【図１２】
2017026962.tif 000021